【手続補正書】
【提出日】平成17年8月9日(2005.8.9)
【手続補正１】
【補正対象書類名】明細書
【補正対象項目名】特許請求の範囲
【補正方法】変更
【補正の内容】
【特許請求の範囲】
【請求項１】  ケモカイン（IL8又はNAP−２を除く）−誘発された活性に関連する徴候を予防し又は阻害するための、
１）式 (XIII), (XIV), (X), (XI), (XIX)又は（XII）で表される化合物；
２）ケモカインペプチド３、その変異体、その誘導体、式（IV）の化合物、式（V）の化合物、式（VI）の化合物、式（XIII）の化合物、式（XIV）の化合物、式（X）の化合物、式（XI）の化合物、式（XII）の化合物、又は（XIX）の化合物のサッカリド接合体；
又はその医薬的に許容できる塩；
又はその組み合わせを含んでなる医薬組成物。
【請求項２】  １つよりも多くのケモカインの活性を阻害するための、
１）式 (XIII), (XIV), (X), (XI), (XIX)又は（XII）で表される化合物；
２）ケモカインペプチド３、その変異体、その誘導体、式（IV）の化合物、式（V）の化合物、式（VI）の化合物、式（XIII）の化合物、式（XIV）の化合物、式（X）の化合物、式（XI）の化合物、式（XII）の化合物、又は（XIX）の化合物のサッカリド接合体；
又はその医薬的に許容できる塩；
又はその組み合わせを含んでなる医薬組成物。
【請求項３】  造血細胞補充に関連する徴候を予防し又は阻害するための、
１）式 (XIII), (XIV), (X), (XI), (XIX)又は（XII）で表される化合物；
２）ケモカインペプチド３、その変異体、その誘導体、式（IV）の化合物、式（V）の化合物、式（VI）の化合物、式（XIII）の化合物、式（XIV）の化合物、式（X）の化合物、式（XI）の化合物、式（XII）の化合物、又は（XIX）の化合物のサッカリド接合体；
又はその医薬的に許容できる塩；
又はその組み合わせを含んでなる医薬組成物。
【請求項４】  好塩基又は肥満細胞からのヒスタミン開放に関連する徴候を予防し又は阻害するための、
１）式 (XIII), (XIV), (X), (XI), (XIX)又は（XII）で表される化合物；
２）ケモカインペプチド３、その変異体、その誘導体、式（IV）の化合物、式（V）の化合物、式（VI）の化合物、式（XIII）の化合物、式（XIV）の化合物、式（X）の化合物、式（XI）の化合物、式（XII）の化合物、又は（XIX）の化合物のサッカリド接合体；
又はその医薬的に許容できる塩；
又はその組み合わせを含んでなる医薬組成物。
【請求項５】  予備選択された生理学的部位での造血細胞のケモカイン−誘発された活性の調節のための、
１）式 (XIII), (XIV), (X), (XI), (XIX)又は（XII）で表される化合物；
２）ケモカインペプチド３、その変異体、その誘導体、式（IV）の化合物、式（V）の化合物、式（VI）の化合物、式（XIII）の化合物、式（XIV）の化合物、式（X）の化合物、式（XI）の化合物、式（XII）の化合物、又は（XIX）の化合物のサッカリド接合体；
又はその医薬的に許容できる塩；
又はその組み合わせを含んで成る医薬組成物。
【請求項６】  発作を予防し又は阻害するための、
１）式 (XIII), (XIV), (X), (XI), (XIX)又は（XII）で表される化合物；
２）ケモカインペプチド３、その変異体、その誘導体、式（IV）の化合物、式（V）の化合物、式（VI）の化合物、式（XIII）の化合物、式（XIV）の化合物、式（X）の化合物、式（XI）の化合物、式（XII）の化合物、又は（XIX）の化合物のサッカリド接合体；
又はその医薬的に許容できる塩；
又はその組み合わせを含んでなる医薬組成物。
【請求項７】  血管徴候、例えば冠状動脈疾患、心筋梗塞、不安定性狭心症、動脈硬化症又は脈管炎を予防し、又は処理するための、
１）式 (XIII), (XIV), (X), (XI), (XIX)又は（XII）で表される化合物；
２）ケモカインペプチド３、その変異体、その誘導体、式（IV）の化合物、式（V）の化合物、式（VI）の化合物、式（XIII）の化合物、式（XIV）の化合物、式（X）の化合物、式（XI）の化合物、式（XII）の化合物、又は（XIX）の化合物のサッカリド接合体；
又はその医薬的に許容できる塩；
又はその組み合わせを含んでなる医薬組成物。
【請求項８】  低い骨鉱物密度を予防し又は処理するための、
１）式 (XIII), (XIV), (X), (XI), (XIX)又は（XII）で表される化合物；
２）ケモカインペプチド３、その変異体、その誘導体、式（IV）の化合物、式（V）の化合物、式（VI）の化合物、式（XIII）の化合物、式（XIV）の化合物、式（X）の化合物、式（XI）の化合物、式（XII）の化合物、又は（XIX）の化合物のサッカリド接合体；
又はその医薬的に許容できる塩；
又はその組み合わせを含んでなる医薬組成物。
【請求項９】  自己免疫疾患を予防し又は処理するための、
１）式 (XIII), (XIV), (X), (XI), (XIX)又は（XII）で表される化合物；
２）ケモカインペプチド３、その変異体、その誘導体、式（IV）の化合物、式（V）の化合物、式（VI）の化合物、式（XIII）の化合物、式（XIV）の化合物、式（X）の化合物、式（XI）の化合物、式（XII）の化合物、又は（XIX）の化合物のサッカリド接合体；
又はその医薬的に許容できる塩；
又はその組み合わせを含んでなる医薬組成物。
【請求項１０】  脊椎動物における腫瘍増殖を制御するための、
１）式 (XIII), (XIV), (X), (XI), (XIX)又は（XII）で表される化合物；
２）ケモカインペプチド３、その変異体、その誘導体、式（IV）の化合物、式（V）の化合物、式（VI）の化合物、式（XIII）の化合物、式（XIV）の化合物、式（X）の化合物、式（XI）の化合物、式（XII）の化合物、又は（XIX）の化合物のサッカリド接合体；
又はその医薬的に許容できる塩；
又はその組み合わせを含んでなる医薬組成物。
【請求項１１】  哺乳類における乾癬を予防し、又は処理するための、
１）式 (XIII), (XIV), (X), (XI), (XIX)又は（XII）で表される化合物；
２）ケモカインペプチド３、その変異体、その誘導体、式（IV）の化合物、式（V）の化合物、式（VI）の化合物、式（XIII）の化合物、式（XIV）の化合物、式（X）の化合物、式（XI）の化合物、式（XII）の化合物、又は（XIX）の化合物のサッカリド接合体；
又はその医薬的に許容できる塩；
又はその組み合わせを含んでなる医薬組成物。
【請求項１２】  創傷治癒を増強するための、
１）式 (XIII), (XIV), (X), (XI), (XIX)又は（XII）で表される化合物；
２）ケモカインペプチド３、その変異体、その誘導体、式（IV）の化合物、式（V）の化合物、式（VI）の化合物、式（XIII）の化合物、式（XIV）の化合物、式（X）の化合物、式（XI）の化合物、式（XII）の化合物、又は（XIX）の化合物のサッカリド接合体；
又はその医薬的に許容できる塩；
又はその組み合わせを含んでなる医薬組成物。
【請求項１３】  ケモカイン−誘発された活性に関連する徴候を有するか、又は危険性の状態の哺乳類を処理するための、
１）式 (XIII), (XIV), (X), (XI), (XIX)又は（XII）で表される化合物；
２）ケモカインペプチド３、その変異体、その誘導体、式（IV）の化合物、式（V）の化合物、式（VI）の化合物、式（XIII）の化合物、式（XIV）の化合物、式（X）の化合物、式（XI）の化合物、式（XII）の化合物、又は（XIX）の化合物のサッカリド接合体；
又はその医薬的に許容できる塩；
又はその組み合わせを含んでなる医薬組成物。
【請求項１４】  ぜん息を予防し、又は処理するための、
１）式 (XIII), (XIV), (X), (XI), (XIX)又は（XII）で表される化合物；
２）ケモカインペプチド３、その変異体、その誘導体、式（IV）の化合物、式（V）の化合物、式（VI）の化合物、式（XIII）の化合物、式（XIV）の化合物、式（X）の化合物、式（XI）の化合物、式（XII）の化合物、又は（XIX）の化合物のサッカリド接合体；
又はその医薬的に許容できる塩；
又はその組み合わせを含んでなる医薬組成物。
【請求項１５】  前記量がアラキドン酸経路における生成物又は中間体を阻害する請求項１記載の医薬組成物。
【請求項１６】  リューコトリエンが阻害される請求項15記載の医薬組成物。
【請求項１７】  トロンボキサンが阻害される請求項15記載の医薬組成物。
【請求項１８】  プロスタグランジンが阻害される請求項15記載の医薬組成物。
【請求項１９】  高められたTNF−αに関連する徴候を予防し又は阻害するための、
１）式 (XIII), (XIV), (X), (XI), (XIX)又は（XII）で表される化合物；
２）ケモカインペプチド３、その変異体、その誘導体、式（IV）の化合物、式（V）の化合物、式（VI）の化合物、式（XIII）の化合物、式（XIV）の化合物、式（X）の化合物、式（XI）の化合物、式（XII）の化合物、又は（XIX）の化合物のサッカリド接合体；
又はその医薬的に許容できる塩；
又はその組み合わせを含んでなる医薬組成物。
【請求項２０】  器官移植片拒絶を予防し、又は処理するための、
１）式 (XIII), (XIV), (X), (XI), (XIX)又は（XII）で表される化合物；
２）ケモカインペプチド３、その変異体、その誘導体、式（IV）の化合物、式（V）の化合物、式（VI）の化合物、式（XIII）の化合物、式（XIV）の化合物、式（X）の化合物、式（XI）の化合物、式（XII）の化合物、又は（XIX）の化合物のサッカリド接合体；
又はその医薬的に許容できる塩；
又はその組み合わせを含んでなる医薬組成物。
【請求項２１】  リウマチ様関節炎を予防し、又は処理するための、
１）式 (XIII), (XIV), (X), (XI), (XIX)又は（XII）で表される化合物；
２）ケモカインペプチド３、その変異体、その誘導体、式（IV）の化合物、式（V）の化合物、式（VI）の化合物、式（XIII）の化合物、式（XIV）の化合物、式（X）の化合物、式（XI）の化合物、式（XII）の化合物、又は（XIX）の化合物のサッカリド接合体；
又はその医薬的に許容できる塩；
又はその組み合わせを含んでなる医薬組成物。
【請求項２２】  アレルギーを予防し、又は処理するための、
１）式 (XIII), (XIV), (X), (XI), (XIX)又は（XII）で表される化合物；
２）ケモカインペプチド３、その変異体、その誘導体、式（IV）の化合物、式（V）の化合物、式（VI）の化合物、式（XIII）の化合物、式（XIV）の化合物、式（X）の化合物、式（XI）の化合物、式（XII）の化合物、又は（XIX）の化合物のサッカリド接合体；
又はその医薬的に許容できる塩；
又はその組み合わせを含んでなる医薬組成物。
【請求項２３】  その対応するケモカインに対して低められた親和性を有する赤血球細胞のダッフィ抗原に結合する、式 (XIII), (XIV), (X), (XI), (XIX) 又は（XII）の化合物、又はその医薬的に許容できる塩。
【請求項２４】  式 (XIII), (XIV), (X), (XI), (XIX) 又は（XII）の化合物、又はその医薬的に許容できる塩。
【請求項２５】  ケモカインペプチド３、その変異体、その誘導体、式（IV）の化合物、式（V）の化合物、式（VI）の化合物、式（XIII）の化合物、式（XIV）の化合物、式（X）の化合物、式（XI）の化合物、式（XII）の化合物、又は（XIX）の化合物のサッカリド接合体のサッカリド接合体；又はその医薬的に許容できる塩。
【請求項２６】  その対応するケモカインペプチド又はケモカインに対して低められた親和性を有する赤血球細胞のダッフィ抗原に結合する、式 (XIII), (XIV), (X), (XI), (XIX) 又は（XII）の化合物、又はその医薬的に許容できる塩。
【請求項２７】  前記化合物が、その対応するケモカインペプチド又はケモカイン対して低められた親和性を有する赤血球細胞のダッフィ抗原に結合する請求項25記載のサッカリド接合体。
【請求項２８】  抗原−誘発された再現応答を阻害する剤の同定方法であって、
ａ）１）式 (XIII), (XIV), (X), (XI), (XIX)又は（XII）で表される化合物；及び２）ケモカインペプチド３、その変異体、その誘導体、式（IV）の化合物、式（V）の化合物、式（VI）の化合物、式（XIII）の化合物、式（XIV）の化合物、式（X）の化合物、式（XI）の化合物、式（XII）の化合物、又は（XIX）の化合物のサッカリド接合体；
又はその医薬的に許容できる塩；
又はその組み合わせから選択された剤を、抗原に対して感作された哺乳類に投与し；そして
ｂ）前記剤が前記再現応答を阻害するかどうかを検出するか、又は決定することを含んで成る方法。
【請求項２９】  抗原に対する再現応答を予防し、又は阻害するための、
１）式 (XIII), (XIV), (X), (XI), (XIX)又は（XII）で表される化合物；及び２）ケモカインペプチド３、その変異体、その誘導体、式（IV）の化合物、式（V）の化合物、式（VI）の化合物、式（XIII）の化合物、式（XIV）の化合物、式（X）の化合物、式（XI）の化合物、式（XII）の化合物、又は（XIX）の化合物のサッカリド接合体；
又はその医薬的に許容できる塩；
又はその組み合わせ含んでなる医薬組成物。
【請求項３０】  抗原に対する再現応答を予防し、又は阻害するための、
１）式 (XIII), (XIV), (X), (XI), (XIX)又は（XII）で表される化合物；及び２）ケモカインペプチド３、その変異体、その誘導体、式（IV）の化合物、式（V）の化合物、式（VI）の化合物、式（XIII）の化合物、式（XIV）の化合物、式（X）の化合物、式（XI）の化合物、式（XII）の化合物、又は（XIX）の化合物のサッカリド接合体；
又はその医薬的に許容できる塩；
又はその組み合わせを含んでなる医薬組成物。
【請求項３１】  免疫原性治療分子を用いる治療にゆだねられる哺乳類の免疫応答を制御するための、
１）式 (XIII), (XIV), (X), (XI), (XIX)又は（XII）で表される化合物；及び２）ケモカインペプチド３、その変異体、その誘導体、式（IV）の化合物、式（V）の化合物、式（VI）の化合物、式（XIII）の化合物、式（XIV）の化合物、式（X）の化合物、式（XI）の化合物、式（XII）の化合物、又は（XIX）の化合物のサッカリド接合体；
又はその医薬的に許容できる塩；
又はその組み合わせを含んでなる医薬組成物。
【請求項３２】  ケモカインペプチド３、その変異体、その誘導体、式（IV）の化合物、式（V）の化合物、式（VI）の化合物、式（XIII）の化合物、式（XIV）の化合物、式（X）の化合物、式（XI）の化合物、式（XII）の化合物、又は（XIX）の化合物から選択された化合物のインビボ半減期を高めるために、前記化合物にサッカリドを結合することを含んで成る方法。
【請求項３３】  請求項33記載のサッカリド結合された化合物。
【請求項３４】  哺乳類におけるケモカイン−関連炎症応答を高めるか又は増強するための、式 (XIII), (XIV), (X), (XI), (XIX) 又は（XII）の化合物、又はその組合せを含んでなる医薬組成物。
【請求項３５】  免疫応答を増大するための、免疫原成分、及び前記免疫原成分に対して哺乳類の免疫応答を増強するのに有効な量の式 (XIII), (XIV), (X), (XI), (XIX) 又は（XII）の化合物、又はその組合せを含んでなる医薬組成物。
【請求項３６】  レンチウィルス感染又は複製を予防し、又は阻害するための、式 (XIII), (XIV), (X), (XI), (XIX) 又は（XII）の化合物、又はその組合せを含んでなる医薬組成物。
【請求項３７】  前記レンチウィルスがHIVである請求項36記載の医薬組成物。
【請求項３８】  前記化合物又はその組合せの投与の前、その間及び/又はその後、抗ウィルス剤を投与することをさらに含んで成る請求項37記載の医薬組成物。
【請求項３９】  脊椎動物における寄生性感染を阻害するための、式 (XIII), (XIV), (X), (XI), (XIX) 又は（XII）の化合物、又はその組合せを含んでなる医薬組成物。
【請求項４０】  前記動物がマラリアを有するヒトである請求項39記載の医薬組成物。
【請求項４１】  腫瘍部位での造血細胞−関連活性を高めるか又は増強するための、式 (XIII), (XIV), (X), (XI), (XIX) 又は（XII）の化合物、又はその組合せを含んでなる医薬組成物。
【請求項４２】  免疫原成分及び一定量の式 (XIII), (XIV), (X), (XI), (XIX) 又は（XII）の化合物、又はその組合せを含んで成る免疫原組成物。
【請求項４３】  サイトカイン−誘発された活性に関連する哺乳類における病理学的状態又は症状の処理のための医薬の製造のためへの式 (XIII), (XIV), (X), (XI), (XIX) 又は（XII）の化合物、又はその組合せの使用。
【請求項４４】  赤血球細胞上のダッフィ抗原に結合する、式 (XIII), (XIV), (X), (XI), (XIX) 又は（XII）の化合物、及び医薬的に許容できるキャリヤーを含んで成る医薬組成物。
【請求項４５】  前記化合物が生物学的活性分子により結合される請求項44記載の医薬組成物。
【請求項４６】  前記生物学的活性分子が、ペプチド、ポリペプチド又はタンパク質である請求項45記載の医薬組成物。
【請求項４７】  前記生物学的活性成分が、ヒト成長ホルモン又はインスリンである請求項46記載の医薬組成物。
【請求項４８】  前記生物学的活性成分が、免疫原である請求項45記載の医薬組成物。
【請求項４９】  前記生物学的活性成分が、前記化合物により結合されない場合、循環から急速にクリアランスされる請求項45記載の医薬組成物。
【請求項５０】  前記化合物及び生物学的活性成分が共有結合される請求項45記載の医薬組生物。
【請求項５１】  前記化合物が、検出できる分子により結合される請求項45記載の医薬組成物。
【請求項５２】  生物学的活性成分の薬物動力学を調節するための、式 (XIII), (XIV), (X), (XI), (XIX) 又は（XII）の化合物とを結合することを含んで成り、ここで前記結合された生物学的活性分子の薬物動力学的性質が、前記生物学的活性分子のみの薬物動力学的性質とは異なることを特徴とする医薬組成物。
【請求項５３】  哺乳類における生物学的活性分子の薬物動力学を変更するための、赤血球細胞上のダッフィ抗原に結合する、式 (XIII), (XIV), (X), (XI), (XIX) 又は（XII）の化合物と共に、前記生物学的活性分子を含んでなる医薬組成物。
【請求項５４】  その対応するケモカインに対する低められた親和性を有する、赤血球細胞上のダッフィ抗原に結合する式 (XIII), (XIV), (X), (XI), (XIX) 又は（XII）の化合物。
【請求項５５】  その対応するケモカインペプチド又はケモカインに対する低められた親和性を有する、赤血球細胞上のダッフィ抗原に結合する式 (XIII), (XIV), (X), (XI), (XIX) 又は（XII）の化合物。
【請求項５６】  少なくとも１つのケモカイン受容体に対する成分の結合に関して、ダッフィ抗原に対して少なくとも約10倍、低められた親和性を有する、赤血球細胞のダッフィ抗原に結合する成分。
【請求項５７】  少なくとも１つのケモカイン受容体に対する成分の結合に関して、ダッフィ抗原に対して少なくとも約10倍、高められた親和性を有する。赤血球細胞のダッフィ抗原に結合する成分。
【請求項５８】  ケモカインペプチド、その変異体、誘導体又は類似体に結合するケモカイン受容体の領域を同定するための方法であって、
（ａ）ケモカイン受容体と、一定量のケモカインペプチド、その変異体、誘導体又は類似体とを接触せしめ、前記受容体と前記ケモカインペプチド、その変異体、誘導体又は類似体との間で複合体をもたらし；そして
（ｂ）前記受容体の領域が前記ケモカインペプチド、その変異体、誘導体又は類似体に結合されるかどうかを決定することを含んで成る方法。
【請求項５９】  特定のケモカインペプチド、その変異体、誘導体又は類似体により結合される、ケモカイン受容体の領域に結合する分子の同定方法であって、
（ａ）一群の分子と前記領域とを接触せしめ；そして
（ｂ）前記一群の分子の少なくとも1つの分子が前記領域に特異的に結合するかどうかを検出するか又は決定することを含んで成る方法。
【請求項６０】  ケモカイン受容体に結合するが、しかし前記受容体に結合する少なくとも１つのケモカインと共にヘテロダイマーを形成しない分子の同定方法であって、
（ａ）前記ケモカイン受容体と前記分子とを、その受容体と分子との間で複合体を形成するために、接触せしめ；
（ｂ）前記複合体と少なくとも１つのケモカインとを接触せしめ；そして
（ｃ）前記複合体における分子が前記ケモカインと共にヘテロダイマーを形成するかどうかを検出するか又は決定することを含んで成る方法。
【請求項６１】  ケモカイン受容体に結合するが、しかし前記受容体ン結合するケモカインと共にヘテロダイマーを形成しない分子の同定方法であって、
（ａ）前記ケモカイン受容体と前記分子及び少なくとも1つのケモカインとを接触せしめ；そして
（ｂ）前記分子が前記ケモカインと共にヘテロダイマーを形成するかどうかを検出するか又は決定することを含んで成る方法。
【請求項６２】  ケモカイン活性を阻害するが、しかしその受容体に対して生来のケモカインと競争しない剤の同定方法であって、
（ａ）生来のケモカインを結合する受容体を含んで成る細胞と前記剤とを接触せしめ；そして
（ｂ）前記剤が、生来のケモカインを結合する受容体ではない受容体に特異的ない結合し、そしてケモカイン活性を阻害するかどうかを検出するか又は決定することを含んで成る方法。